(57)【要約】【課題】充電器で充電可能な二次電池の外形形状とは異なる外形形状を有する二次電池を装着可能であって、充電器に装着して使用するための充電補助ボックスを提供する。【解決手段】充電補助ボックス２０は、ハウジング体２１のいずれかの面に備えられ、突部第一端子１２と、突部第二端子１３とを有する突出部７を備える。突部第一端子１２と導通する第三内側端子８と、突部第二端子１３と導通する第四内側端子１０と、ハウジング体２１の少なくとも一つの面に開口部１４を備える。第三内側端子８と第四内側端子１０との距離のうちの少なくとも一部の距離Ｌ５は、突部第一端子１２と突部第二端子１３との距離Ｌ２よりも長い。第五内側面１８と、第六内側面１９との距離の内の少なくとも一部の距離Ｗ４、Ｗ５は、突出部７における第五方向と第六方向とを結ぶ方向の寸法Ｗ２よりも長い。【選択図】図１
2019083104.tif 000002
【特許請求の範囲】
【請求項１】
第一方向と、前記第一方向と反対の方向である第二方向とを結ぶ第一距離と、
前記第一方向及び前記第二方向と直交する第三方向と、前記第三方向と反対の方向である第四方向とを結ぶ第二距離と、
前記第一方向及び前記第三方向と直交する第五方向と、前記第五方向と反対の方向である第六方向とを結ぶ第三距離とを有し、
前記第一方向の側の外面を第一面、前記第二方向の側の外面を第二面、前記第三方向の側の外面を第三面、前記第四方向の側の外面を第四面、前記第五方向の側の外面を第五面、前記第六方向の側の外面を第六面とするボックス状のハウジング体と、
前記ハウジング体のいずれかの面に備えられ、前記第三方向の端部に導電性を有する突部第一端子と、前記第四方向の端部に導電性を有する突部第二端子とを有する突出部と、
前記第三面の内側である第三内側面に、前記突部第一端子と導通する第三内側端子と、
前記第四面の内側である第四内側面に、前記突部第二端子と導通する第四内側端子と、
前記ハウジング体の少なくとも一つの面に開口部を備え、
前記第三内側端子と前記第四内側端子との距離のうちの少なくとも一部は、前記突部第一端子と前記突部第二端子との距離よりも長く、
前記第五面の内側である第五内側面と、前記第六面の内側である第六内側面との距離の内の少なくとも一部は、前記突出部における前記第五方向と前記第六方向とを結ぶ方向の寸法よりも長いことを特徴とする充電補助ボックス。
【請求項２】
前記突部第二端子と前記第四面との距離は、前記突部第一端子と前記第三面との距離よりも長いことを特徴とする請求項１に記載の充電補助ボックス。
【請求項３】
前記第一面は開口部を備え、
前記第一方向と前記第二方向とを結ぶ方向において、前記第一方向の側に第一収納部を備え、前記第二方向の側に第二収納部を備え、
前記第一収納部は、前記第五内側面のうちの第五内側第一壁と前記第六内側面のうちの第六内側第一壁と、前記第二面の内側である第二内側面から前記第一方向へ突出した段部と、前記第三内側端子における第三内側第一端子部と、前記第四内側端子における第四内側第一端子部からなり、
前記第二収納部は、前記第五内側面のうちの第五内側第二壁と前記第六内側面のうちの第六内側第二壁と、前記第二内側面と、前記第三内側端子における第三内側第二端子部と、前記第四内側端子における第四内側第二端子部からなり、
前記第一収納部における前記第五内側第一壁と前記第六内側第一壁との間の距離は、前記第二収納部における前記第五内側第二壁と前記第六内側第二壁との間の距離よりも大きく、
前記第三内側第一端子部と、前記第四内側第一端子部との間の距離は、前記第三内側第二端子部と、前記第四内側第二端子部との距離よりも大きいことを特徴とする請求項１または２に記載の充電補助ボックス。
【請求項４】
前記第四内側第二端子部は、前記第一方向と前記第二方向とを結ぶ方向において、前記段部よりも前記第二方向の側に形成されたことを特徴とする請求項３に記載の充電補助ボックス。
【請求項５】
前記第三方向及び前記第四方向において、前記第二収納部は前記第三方向の側に偏って設けられ、前記突出部と同方向に偏って設けられていることを特徴とする請求項３または４に記載の充電補助ボックス。
【請求項６】
前記突出部は、前記ハウジング体の前記第二面に備えられたことを特徴とする請求項１から５のいずれかに記載の充電補助ボックス。
【請求項７】
前記突出部は、乾電池形充電池を充電可能な充電器に装着可能であり、前記充電器の一方の充電器側第一端子と前記突部第一端子が接触し、前記充電器の他方の充電器側第二端子と前記突部第二端子が接触し、挿入された充電池と導通可能であることを特徴とする請求項１から６のいずれかに記載の充電補助ボックス。
【発明の詳細な説明】
【技術分野】
【０００１】
本発明は、乾電池形充電池を充電するための充電器に着脱可能な、充電補助ボックスに関する。
【背景技術】
【０００２】
従来、単三電池や単四電池等の規格電池を充電する充電器が知られている。例えば、特許文献１に記載の充電器では、単三電池等の乾電池と同じ外形である規格寸法の二次電池を装着し、充電するものである。
【先行技術文献】
【特許文献】
【０００３】
【特許文献１】特開２００５−１５１７４０号公報
【発明の概要】
【発明が解決しようとする課題】
【０００４】
しかしながら、従来例の充電池は予め決められた規格である単三電池の乾電池と同じ外形である規格寸法の二次電池のみを装着可能であり、例えば単二電池又は単一電池と同じ外形である規格寸法の二次電池を装着することができない。異なる外形形状の二次電池を充電しようとすると、別の充電器を用意する必要があり、経済的に非効率的であった。
【０００５】
本発明の目的は、充電器で充電可能な二次電池の外形形状とは異なる外形形状を有する二次電池を装着可能であって、充電器に装着して使用するための充電補助ボックスを提供することである。
【課題を解決するための手段】
【０００６】
本発明に係る充電補助ボックスは、第一方向と、第一方向と反対の方向である第二方向とを結ぶ第一距離と、前記第一方向及び前記第二方向と直交する第三方向と、前記第三方向と反対の方向である第四方向とを結ぶ第二距離と、前記第一方向及び前記第三方向と直交する第五方向と、前記第五方向と反対の方向である第六方向とを結ぶ第三距離とを有し、前記第一方向の側の外面を第一面、前記第二方向の側の外面を第二面、前記第三方向の側の外面を第三面、前記第四方向の側の外面を第四面、前記第五方向の側の外面を第五面、前記第六方向の側の外面を第六面とするボックス状のハウジング体と、前記ハウジング体のいずれかの面に備えられ、前記第三方向の端部に導電性を有する突部第一端子と、前記第四方向の端部に導電性を有する突部第二端子とを有する突出部と、前記第三面の内側である第三内側面に、前記突部第一端子と導通する第三内側端子と、前記第四面の内側である第四内側面に、前記突部第二端子と導通する第四内側端子と、前記ハウジング体の少なくとも一つの面に開口部を備え、前記第三内側端子と前記第四内側端子との距離のうちの少なくとも一部は、前記突部第一端子と前記突部第二端子との距離よりも長く、前記第五面の内側である第五内側面と、前記第六面の内側である第六内側面との距離の内の少なくとも一部は、前記突出部における前記第五方向と前記第六方向とを結ぶ方向の寸法よりも長いことを特徴とする。
【０００７】
この場合、充電補助ボックスは、第三内側端子と第四内側端子との距離のうちの少なくとも一部は、突部第一端子と突部第二端子との距離よりも長い。よって、長さ方向において、突出部７の二つの端子間距離よりも長い乾電池サイズの電池を収納することができる。また、第五面の内側である第五内側面と、第六面の内側である第六内側面との距離の内の少なくとも一部は、突出部における第五方向と第六方向とを結ぶ方向の寸法よりも長い。よって、幅方向或いは径方向において突出部よりも大きな乾電池サイズの電池を収納できる。充電補助ボックスは、突出部を充電器に装着可能であり、突出部よりも大きなサイズの充電池を装着することができる。充電器では充電できない大きなサイズの充電池を充電することが可能な充電補助ボックスを提供することができる。
【０００８】
前記充電補助ボックスは、前記突部第二端子と前記第四面との距離が、前記突部第一端子と前記第三面との距離よりも長くてもよい。
【０００９】
この場合、第三方向及び第四方向において突出部が中心位置よりも第三方向の側に偏って設けられているので、突部第二端子と第四面との間において突出部が設けられる外面を充電器に装着したときの着座面にすることができる。一定の重量を有する乾電池形充電池を収納した充電補助ボックスを充電器に装着したときに安定して装着状態を保持できる。
【００１０】
前記充電補助ボックスは、前記第一面に開口部を備え、前記第一方向と前記第二方向とを結ぶ方向において、前記第一方向の側に第一収納部を備え、前記第二方向の側に第二収納部を備え、前記第一収納部は、前記第五内側面のうちの第五内側第一壁と前記第六内側面のうちの第六内側第一壁と、前記第二面の内側である第二内側面から前記第一方向へ突出した段部と、前記第三内側端子における第三内側第一端子部と、前記第四内側端子における第四内側第一端子部からなり、前記第二収納部は、前記第五内側面のうちの第五内側第二壁と前記第六内側面のうちの第六内側第二壁と、前記第二内側面と、前記第三内側端子における第三内側第二端子部と、前記第四内側端子における第四内側第二端子部からなり、前記第一収納部における前記第五内側第一壁と前記第六内側第一壁との間の距離は、前記第二収納部における前記第五内側第二壁と前記第六内側第二壁との間の距離よりも大きく、前記第三内側第一端子部と、前記第四内側第一端子部との間の距離は、前記第三内側第二端子部と、前記第四内側第二端子部との距離よりも大きくてもよい。
【００１１】
この場合、充電補助ボックスは、第一面に開口部を備え、第一方向と第二方向とを結ぶ方向において、第一収納部と第二収納部を備え、第一収納部は第二収納部に対していわゆる長さ方向と幅方向において大きなサイズの乾電池形充電池を収納することができる。第一方向の側に開口部が設けられ、第二方向の側に第二収納部が設けられるので、充電補助ボックスは、サイズが異なる２つの乾電池形充電池を装着可能である。
【００１２】
前記充電補助ボックスは、前記第四内側第二端子部が、前記第一方向と前記第二方向とを結ぶ方向において、前記段部よりも前記第二方向の側に形成されてもよい。この場合、第一面の側から第一収納部へ乾電池形充電池を挿入したときに、第四内側端子における第四内側第二端子部は、乾電池形充電池に接触しないので変形を防止できる。
【００１３】
前記充電補助ボックスは、前記第三方向及び前記第四方向において、前記第二収納部が前記第三方向の側に偏って設けられ、前記突出部と同方向に偏って設けられてもよい。この場合、突出部と第二収納部とが同じ方向に偏っているので充電補助ボックスを充電器に装着したときに傾くことを防止できて安定した装着状態が保持される。
【００１４】
前記充電補助ボックスは、前記突出部が前記ハウジング体の前記第二面に備えられてもよい。この場合、第一方向と第二方向を結ぶ方向において、突出部が充電補助ボックスに挿入された乾電池形充電池と同方向に並ぶので、充電補助ボックスを充電器に装着したときの状態が安定する。
【００１５】
前記充電補助ボックスは、前記突出部は、乾電池形充電池を充電可能な充電器に装着可能であり、前記充電器の一方の充電器側第一端子と前記突部第一端子が接触し、前記充電器の他方の充電器側第二端子と前記突部第二端子が接触し、挿入された乾電池形充電池と導通可能であっても良い。この場合、乾電池形充電池が挿入された充電補助ボックスは、充電器に装着したときに充電器によって乾電池形充電池を充電することができる。
【図面の簡単な説明】
【００１６】
【図１】充電補助ボックス２０の全体を表す斜視図であり、第一方向から第六方向と、第一面１から第六面６までを合わせて表した図である。
【図２】図１におけるＡ視図である。
【図３】図２における断面Ｄ−Ｄである。
【図４】図３におけるＥ視図であって、図１とは斜視図の方向を変えた図である。
【図５】図３に対して充電補助ボックス２０に乾電池形充電池を挿入した図であり、（ａ）は第一収納部３０に単一形充電池を挿入した図であり、（ｂ）は第二収納部に単二形充電池を挿入した図である。
【図６】図１におけるＢ視図である。
【図７】充電補助ボックス２０を充電器５２に装着した状態を示した図である。
【図８】図７の断面Ｆ−Ｆである。
【発明を実施するための形態】
【００１７】
以下、本発明を具現化した充電補助ボックス２０について、図面を参照して説明する。図１と図３を参照し、充電補助ボックス２０の概要について説明する。紙面に向かって上下方向の一方が第一方向であり、第一方向と反対の方向が第二方向である。一例として、第一方向と第二方向とを結ぶ方向は、いわゆる高さ方向とすることができる。紙面に向かって右上方向である、第一方向及び第二方向と直交する方向が第三方向である。第三方向と反対の方向が第四方向である。一例として、第三方向と第四方向とを結ぶ方向は、いわゆる長さ方向とすることができる。紙面に向かって右下方向である、第一方向及び第三方向と直交する方向が第五方向であり、第五方向と反対の方向が第六方向である。一例として、第五方向と第六方向とを結ぶ方向は、いわゆる幅方向とすることができる。また、紙面に向かって上側の面が第一面１であり、第一面１と対向する面が第二面２である。紙面に向かって右側の面が第三面３であり、第三面３と対向する面が第四面４である。紙面に向かって右下側の面が第五面５であり、第五面５と対向する面が第六面６である。第一面１から第六面６はすべて外側の面を示す。充電補助ボックス２０は、直方体状のボックス状のハウジング体２１と、突出部７と、突部第一端子１２と、突部第二端子１３と、第三内側端子８、及び第四内側端子１０を備える。突部第一端子１２と第三内側端子８とは電気的に導通する。また、突部第二端子１３と第四内側端子１０とは電気的に導通する。ハウジング体２１は絶縁材料によって形成され、一例として樹脂材料が使用される。ハウジング体２１は、高さ方向が第一距離Ｈ、長さ方向が第二距離Ｌ、幅方向が第三距離Ｗである。
【００１８】
図１から図５を参照して、充電補助ボックス２０の内部を説明する。図１及び図３に示すように、第三面３の内側の面である第三内側面１６に、第三内側端子８が取り付けられている。図３及び図４に示すように、第四面４の内側の面である第四内側面１７に、第四内側端子１０が取り付けられている。
【００１９】
図１〜図４に示すように、充電補助ボックス２０のハウジング体２１は、第一収納部３０と第二収納部３１を備える。第一収納部３０は第二収納部３１に対して第一方向の側に位置する。第一収納部３０は、第五方向と第六方向を結ぶ方向が、第五内側面１８の一部である第五内側第一壁１８ａと第六内側面１９の一部である第六内側第一壁１９ａとによって形成され、第二方向の側は段部３３によって形成され、第一方向の側は開口部１４である。第一収納部３０は、第三方向の側が第三内側端子８の第三内側第一端子部８ａ及び第三内側面１６によって形成され、第四方向の側が第四内側端子１０の第四内側第一端子部１０ａ及び第四内側面１７によって形成されている。図４に示すように、第五面５と第六面６にはそれぞれ切欠き部２３、２４が設けられている。切欠き部２３、２４は、第一収納部３０と第二収納部３１の一部を含むように形成されている。切欠き部２３、２４は、第一収納部３０と第二収納部３１に乾電池形充電池を挿入する際と取り外す際に指を入れるためのものである。
【００２０】
図１〜図４に示すように、第二収納部３１は、第五方向と第六方向を結ぶ方向が第五内側第二壁１８ｂと第六内側第二壁１９ｂとによって形成され、第二方向の側は、第二内側面１５によって形成され、第一方向の側は開口部１４である。第二収納部３１は、第三方向の側が第三内側端子８の第三内側第二端子部８ｂ及び第三内側面１６によって形成され、第四方向の側が第四内側端子１０の第四内側第二端子部１０ｂ及び第四内壁３４によって形成されている。
【００２１】
図１及び図２に示すように、第五内側面１８における第五内側第一壁１８ａと第五内側第二壁１８ｂとは連続的に繋がっている。第五内側第一壁１８ａは、挿入される乾電池形充電池（後述する単一形充電池５０）の形状に対応して曲線状に面が形成されている。第五内側第二壁１８ｂも挿入される乾電池形充電池（後述する単二形充電池５１）の形状に対応して曲線状に面が形成されている。第五内側第一壁１８ａと第五内側第二壁１８ｂとのつなぎ目は、乾電池形充電池を挿入したときに引っかからないように円弧形状で結んである。第六内側面１９における第六内側第一壁１９ａと第六内側第二壁１９ｂは、第五内側面１８と対象の形状をなすように形成されている。第五内側面１８と第六内側面１９は、切欠き部２３、２４をはさんでそれぞれ２カ所に形成されているが、形状は同様である。
【００２２】
図３及び図４に示すように、段部３３は第四内側面１７より第三方向に張り出して形成されている。段部３３は、第一収納部３０に挿入される乾電池形充電池（後述する単一形充電池５０）の形状に合わせて円弧状に形成されている。第一収納部３０に乾電池形充電池が挿入されたとき、段部３３は第二方向側の受け面となる。
【００２３】
図３に示すように、第三内側端子８は突部第一端子１２と一体で形成され、第一方向側に第三内側第一端子部８ａが形成され、第二方向側に第三内側第二端子部８ｂが形成されている。第三内側第一端子部８ａと第三内側第二端子部８ｂはいずれも平面状に形成され、第三内側第二端子部８ｂは第三内側第一端子部８ａに対して第三方向側に凹んでいる。
【００２４】
図３に示すように、第四内側端子１０は、突部第二端子１３と一体で形成され、第一方向側に第四内側第一端子部１０ａが形成され、第二方向側に第四内側第二端子部１０ｂが形成されている。第四内側第一端子部１０ａと第四内側第二端子部１０ｂはいずれもＶの字形状をなし、先端は第四方向側へ折り曲げられており、弾性変形可能である。第四内側第二端子部１０ｂは第四内側第一端子部１０ａに対して第三方向側にあり、後述するように単二形充電池５１の長さに対応している。第四内側第二端子部１０ｂは、第四内側端子１０の一部が曲げ起こされて形成されている。第四内側第二端子部１０ｂは段部３３よりも第二方向側にあり第一方向側には飛び出さない。第四内側第一端子部１０ａは、第四内側端子１０の先端が折り返されて形成されている。
【００２５】
図２、図３、及び図５に示すように、第一収納部３０と第二収納部３１とは収納できる電池形充電池のサイズが異なる。図２に示すように、第一収納部３０の第五内側第一壁１８ａと第六内側第一壁１９ａとの距離Ｗ５は、第二収納部３１の第五内側第二壁１８ｂと第六内側第二壁１９ｂとの距離Ｗ４よりも大きい。図３に示すように、第一収納部３０の第三内側第一端子部８ａと、第四内側第一端子部１０ａとの距離Ｌ５は、第二収納部３１の第三内側第二端子部８ｂと、第四内側第二端子部１０ｂとの距離Ｌ４よりも大きい。従って、第一収納部３０に挿入できる乾電池形充電池のサイズは、第二収納部３１に挿入できる乾電池形充電池のサイズよりも大きい。一例として、第一収納部３０は、単一形の乾電池形充電池が挿入可能であり、第二収納部３１は単二形の乾電池形充電池が挿入可能である。
【００２６】
図５（ａ）は第一収納部３０に単一形充電池５０を挿入した状態を示す。図５（ｂ）は第二収納部３１に単二形充電池５１を挿入した状態を示す。図５（ａ）に示すように、単一形充電池５０は、単一形充電池プラス側端子５７が第三内側第一端子部８ａと接触し、単一形充電池マイナス側端子５８が第四内側第一端子部１０ａと接触する。また、単一形充電池５０は、段部３３に接触する。第四内側第一端子部１０ａは単一形充電池５０の長さ寸法に応じて第四方向側に弾性変形する。
【００２７】
図５（ｂ）に示すように、単二形充電池プラス側端子５９は、第三内側第二端子部８ｂと接触し、単二形充電池マイナス側端子６０が第四内側第二端子部１０ｂと接触する。第四内側第二端子部１０ｂは単二形充電池５１の長さ寸法に応じて第四方向側に弾性変形する。第四内側第二端子部１０ｂは段部３３よりも第二方向の側にある。よって、図５（ａ）に示すように、第一収納部３０に単一形充電池５０が挿入された場合であっても、単一形充電池５０が第四内側第二端子部１０ｂに接触しない。よって、第四内側第二端子部１０ｂが変形することを防止できる。
【００２８】
次に、図３及び図５を参照して、突出部７について説明する。図３に示すように、突出部７は、第二面２に設けられている。ただし、第二面２に設けられているのは一例であって、他の面に設けられても良い。突出部７には、第三方向の側に突部第一端子１２が設けられ、第四方向の側に突部第二端子１３が設けられている。突出部７は第三方向及び第四方向において、第三方向の側に偏って設けられている。突部第一端子１２がいわゆるプラス側の端子であり、突部第二端子１３がいわゆるマイナス側の端子である。突部第一端子１２は、乾電池のプラス端子と同様に円柱状の突部が形成されている。突部第二端子１３は、乾電池のマイナス端子と同様に平面が形成されている。図３に示すように、突部第一端子１２は、第三内側端子８と一体で形成されて電気的に導通する。突部第二端子１３は、第四内側端子１０と一体で形成されて電気的に導通する。なお、突部第一端子１２と第三内側端子８、及び突部第二端子１３と第四内側端子１０とは必ずしも一体で形成する必要は無く、別々で形成して電気的に導通させれば良い。
【００２９】
図３に示すように、突出部７は第三方向及び第四方向において、第三方向の側に偏って設けられている。突部第一端子１２と第三面３との距離をＬ１、突部第一端子１２と突部第二端子１３との距離をＬ２、突部第二端子１３と第四面４との距離をＬ３としたとき、Ｌ３はＬ１よりも長い。なお、図３に示す例では、Ｌ２はＬ３及びＬ１よりも長い。
【００３０】
図６に示すように、突出部７における第一方向と第二方向とを結ぶ方向の寸法Ｈ２は、突出部７の第五方向と第六方向とを結ぶ方向の寸法Ｗ２よりも長い。寸法Ｗ２は、充電器５２に装着する充電池のサイズに合わせた寸法に形成されており、一例として単三形乾電池の直径と同様の寸法か或いは小さい寸法である。寸法Ｈ２は寸法Ｗ２よりも長いので、充電補助ボックス２０を充電器５２の単三形充電池挿入部５４に装着したときに、突部第一端子１２と充電器側第一端子５５とが接触し、突部第二端子１３と充電器側第二端子５６とが接触する（後述する図８を参照）。また、突出部７の第二方向側における先端部分は、直径が略Ｗ２の円弧形状であり、乾電池形充電池と同様の形状である。
【００３１】
図７及び図８を参照して、充電補助ボックス２０が充電器５２に装着された状態を説明する。図７に一例として示した充電器５２は、単三形充電池挿入部５４が複数設けられ、複数本の単三形充電池を同時に充電可能である。充電器５２の第三方向の側には表示部としてＬＣＤ５３が設けられ、充電方法の説明或いは充電の進捗状況等が表示される。充電補助ボックス２０は、充電器５２の単三形充電池挿入部５４のうちの一つに装着可能である。充電補助ボックス２０は、第三面３が第三方向の側を向き、第四面４が第四方向の側を向いた位置に装着される。
【００３２】
図８は、図７における断面Ｆ−Ｆである。図８に示すように、第四方向の側にて充電補助ボックス２０の第二面２における第四側座面３６が充電器５２の平面部６２に接触する。第三方向の側においても第二面２と充電器５２とが接触するが、第三方向と第四方向とを結ぶ方向で接触する寸法は第四方向の側よりも短い。第三面３はＬＣＤ５３よりも第四方向の側にあるので、ＬＣＤ５３の表示を妨げない。
【００３３】
次に、充電補助ボックス２０に乾電池形充電池を装着し、充電器５２に装着する方法及び手順を説明する。図５（ａ）は、充電補助ボックス２０に単一形充電池５０を装着する状態を説明した図である。単一形充電池５０は、開口部１４が設けられた第一面１より挿入する。第三内側端子８における第三内側第一端子部８ａは、プラス側端子であり、単一形充電池プラス側端子５７に接触する。第四内側端子１０における第四内側第一端子部１０ａは、マイナス側端子であり、単一形充電池マイナス側端子５８に接触する。単一形充電池５０は、単一形充電池プラス側端子５７が第三方向の側になり、単一形充電池マイナス側端子５８が第四方向の側になるように第一収納部３０に装着する。図３に示す、第一収納部３０の第三内側第一端子部８ａと、第四内側第一端子部１０ａとの距離Ｌ５は、単一形充電池５０の単一形充電池プラス側端子５７と単一形充電池マイナス側端子５８との距離に対応して設定される。
【００３４】
図５（ｂ）は、充電補助ボックス２０に単二形充電池５１を装着する状態を説明した図である。単二形充電池５１は、開口部１４が設けられた第一面１より挿入する。第三内側端子８における第三内側第二端子部８ｂは、プラス側端子であり、単二形充電池プラス側端子５９に接触する。第四内側端子１０における第四内側第二端子部１０ｂは、マイナス側端子であり、単二形充電池マイナス側端子６０に接触する。単二形充電池５１は、単二形充電池プラス側端子５９が第三方向の側になり、単二形充電池マイナス側端子６０が第四方向の側になるように第二収納部３１に装着する。図３に示す、第二収納部３１の第三内側第二端子部８ｂと、第四内側第二端子部１０ｂとの距離Ｌ４は、単二形充電池５１の単二形充電池プラス側端子５９と単二形充電池マイナス側端子６０との距離に対応して設定される。
【００３５】
図７及び図８は、充電補助ボックス２０が充電器５２に装着された状態を示す。充電器５２の充電器側第一端子５５はプラス端子に該当し、充電器側第二端子５６はマイナス端子に該当する。図７に示す例の充電器５２は、単三形充電池挿入部５４が複数並列して設けられ、同時に複数本の単三形充電池を装着して充電することができる。なお、単三形充電池挿入部５４の代わりに単四形充電池が挿入されるように単四形充電池挿入部が設けられてもよい。単三形充電池挿入部５４の第三方向の側には表示部としてＬＣＤ５３が設けられている。なお、充電器５２は一例を示しており、充電補助ボックス２０は汎用的に販売されている充電器に装着して使用することが可能である。
【００３６】
充電補助ボックス２０は、充電器５２に対して第三面３が第三方向の側であり第四面４が第四方向の側になるように装着する。図８に示すように、充電補助ボックス２０の突部第一端子１２と充電器側第一端子５５とが接触し、充電補助ボックス２０の突部第二端子１３と充電器側第二端子５６とが接触する。充電補助ボックス２０の第三側座面３５が充電器５２の平面部６１に載置され、第四側座面３６が充電器５２の平面部６２に載置される。第三方向の側に比べて、第四方向の側である第四側座面３６が充電器５２の平面部６２に載置される領域の方が広い。そのため、充電補助ボックス２０が充電器５２に装着されたときに、充電補助ボックス２０がＬＣＤ５３を覆うことがなく、表示内容を視認することができる。単三形充電池挿入部深さＲは、突出部７における第一方向と第二方向とを結ぶ方向の寸法Ｈ２よりも深い。よって、突出部７の第二方向の側の端部が充電器５２の単三形充電池挿入部５４に接触することはない。
【００３７】
次に、充電補助ボックス２０の効果を説明する。図１に示すように、充電補助ボックス２０は、第一方向と、第一方向と反対の方向である第二方向とを結ぶ第一距離Ｈと、第一方向及び第二方向と直交する第三方向と、第三方向と反対の方向である第四方向とを結ぶ第二距離Ｌを有する。充電補助ボックス２０は、第一方向及び第三方向と直交する第五方向と、第五方向と反対の方向である第六方向とを結ぶ第三距離Ｗを有する。充電補助ボックス２０は、第一方向の側の外面を第一面１、第二方向の側の外面を第二面２、第三方向の側の外面を第三面３、第四方向の側の外面を第四面４、第五方向の側の外面を第五面５、第六方向の側の外面を第六面６とするボックス状のハウジング体２１を有する。図３に示すように、ハウジング体２１のいずれかの面に備えられ、第三方向の端部に導電性を有する突部第一端子１２と、第四方向の端部に導電性を有する突部第二端子１３とを有する突出部７を備える。第三面３の内側である第三内側面１６に、突部第一端子１２と導通する第三内側端子８と、第四面４の内側である第四内側面１７に、突部第二端子１３と導通する第四内側端子１０と、ハウジング体２１の少なくとも一つの面に開口部１４を備える。第三内側端子８と第四内側端子１０との距離のうちの少なくとも一部の距離Ｌ５は、突部第一端子１２と突部第二端子１３との距離Ｌ２よりも長い。図２及び図６に示すように、第五面５の内側である第五内側面１８と、第六面６の内側である第六内側面１９との距離の内の少なくとも一部の距離Ｗ４、Ｗ５は、突出部７における第五方向と第六方向とを結ぶ方向の寸法Ｗ２よりも長い。ここで、距離Ｌ５が、「第三内側端子と第四内側端子との距離のうちの少なくとも一部」に相当する。距離Ｌ２が、「突部第一端子と突部第二端子との距離」に相当する。第六面６の内側である第六内側面１９との距離の内の少なくとも一部の距離Ｗ４、Ｗ５が「第五面の内側である第五内側面と、第六面の内側である第六内側面との距離の内の少なくとも一部」に相当する。
【００３８】
この場合、充電補助ボックス２０は、第三内側端子８と第四内側端子１０との距離のうちの少なくとも一部の距離Ｌ５は、突部第一端子１２と突部第二端子１３との距離Ｌ２よりも長い。よって、長さ方向において、突出部７の二つの端子間距離である突部第一端子１２と突部第二端子１３との距離Ｌ２よりも長い乾電池サイズの電池を収納することができる。また、第五面５の内側である第五内側面１８と、第六面６の内側である第六内側面１９との距離の内の少なくとも一部の距離Ｗ４、Ｗ５は、突出部７における第五方向と第六方向とを結ぶ方向の寸法Ｗ２よりも長い。よって、幅方向或いは径方向において突出部７よりも大きなサイズの電池を収納できる。
【００３９】
一般的に、乾電池形充電池のサイズは使用頻度から単三形或いは単四形が多く使用される傾向がある。よって、充電器も単三形サイズ或いは単四形サイズに対応したものが多い。従来、単一形サイズ或いは単二形サイズの充電池を充電しようとした場合、単三形サイズに比べて使用頻度がそれほど多くないにもかかわらず専用の充電器を用意する必要があった。また、単一形サイズの充電器は大形になる傾向があるので、収納に困るといった問題があった。充電補助ボックス２０はこの問題を解決するものであり、単一形サイズ或いは単二形サイズの充電池を充電するときに単三形サイズ用の充電器５２に装着すればよい。すなわち、サイズが小さなサイズの充電池を充電するための充電器５２等に装着可能であり、充電器５２等では充電できない大きなサイズの充電池に充電することが可能となる。
【００４０】
図３に示すように、充電補助ボックス２０は、突部第二端子１３と第四面４との距離Ｌ３が、突部第一端子１２と第三面３との距離Ｌ１よりも長い（Ｌ３＞Ｌ１）。この場合、第三方向及び第四方向において突出部７が中心位置よりも第三方向の側に偏って設けられているので、突部第二端子１３と第四面４との間において突出部７が設けられる面を充電器５２に装着したときの第四側座面３６とすることができる。よって、一定の重量を有する単一形充電池５０、単二形充電池５１を収納した充電補助ボックス２０を充電器５２に装着したときに安定して装着状態を保持できる。
【００４１】
図２〜図４に示すように、充電補助ボックス２０は、第一面１に開口部１４を備え、第一方向と第二方向とを結ぶ方向において、第一方向の側に第一収納部３０を備え、第二方向の側に第二収納部３１を備える。第一収納部３０は、第五内側面１８のうちの第五内側第一壁１８ａと第六内側面１９のうちの第六内側第一壁１９ａと、第二面２の内側である第二内側面１５から第一方向へ突出した段部３３からなる。さらに、第一収納部３０は、第三内側端子８における第三内側第一端子部８ａと、第四内側端子１０における第四内側第一端子部１０ａからなる。第二収納部３１は、第五内側面１８のうちの第五内側第二壁１８ｂと第六内側面１９のうちの第六内側第二壁１９ｂと、第二内側面１５からなる。さらに、第二収納部３１は、第三内側端子８における第三内側第二端子部８ｂと、第四内側端子１０における第四内側第二端子部１０ｂからなる。第一収納部３０における第五内側第一壁１８ａと第六内側第一壁１９ａとの間の距離Ｗ５は、第二収納部３１における第五内側第二壁１８ｂと第六内側第二壁１９ｂとの間の距離Ｗ４よりも大きい。第三内側第一端子部８ａと、第四内側第一端子部１０ａとの間の距離Ｌ５は、第三内側第二端子部８ｂと、第四内側第二端子部１０ｂとの距離Ｌ４よりも大きい。
【００４２】
この場合、充電補助ボックス２０は第一面１に開口部１４を備え、第一収納部３０と第二収納部３１を備え、第一収納部３０は第二収納部３１に対していわゆる長さ方向と幅方向において大きなサイズの乾電池形充電池を収納することができる。第一方向の側に開口部１４が設けられ、第二方向の側に第二収納部３１が設けられるので、充電補助ボックス２０は、サイズが異なる２つの乾電池形充電池を装着可能である。充電補助ボックス２０は２種類のサイズの乾電池形充電池を装着することができるので、複数の充電補助ボックスを準備する必要が無い。第一面１に開口部１４が形成されるので、充電補助ボックス２０のいわゆる奥側が第二収納部３１となる。サイズが小さい第二収納部３１を奥側である第二方向の側に形成し、第一収納部３０を第一方向の側に形成することで、第一収納部３０のいわゆる幅方向を規制するために第五内側面１８と第六内側面１９に段差を設けることができる。よって、第一収納部３０と第二収納部３１とを形成できるとともに、２つのサイズの乾電池形充電池を着脱することができる。
【００４３】
図３及び図５に示すように、充電補助ボックス２０は、第四内側端子１０における第四内側第二端子部１０ｂが、第一方向と第二方向とを結ぶ方向において、段部３３よりも第二方向の側に形成されている。この場合、第一面１の側から第一収納部３０へ単一形充電池５０を挿入したときに第四内側端子１０における第四内側第二端子部１０ｂは、単一形充電池５０に接触しないので変形を防止できる。よって、充電補助ボックス２０は第二方向の側に第二収納部３１を形成し、第一方向の側に第一収納部３０を形成することができる。
【００４４】
図３及び図５に示すように、充電補助ボックス２０は、第三方向及び第四方向において、第二収納部３１が第三方向の側に偏って設けられ、突出部７と同方向に偏って設けられている。この場合、突出部７と第二収納部３１とが同じ方向に偏っているので充電補助ボックス２０を充電器５２に装着したときに傾くことを防止できて安定した装着状態が保持される。第二収納部３１に単二形充電池５１が装着されたとき、第三方向及び第四方向において単二形充電池５１は突出部７と略同位置にあるので充電補助ボックス２０の重心位置が突出部７の中心付近となる。よって、充電補助ボックス２０が充電器５２に装着されたときに安定した状態が保持される。また、第二収納部３１が第三方向の側に偏って設けられているので、第三内側面１６は段部３３を設ける必要が無い。よって、第三内側端子８は第三内側面１６に沿って形成することができるので、充電補助ボックス２０に単二形充電池５１を着脱するときに第三内側面１６及び第三内側端子８に引っかかることなくスムーズに着脱することができる。
【００４５】
図１及び図３に示すように、充電補助ボックス２０は、突出部７がハウジング体２１の第二面２に備えられている。この場合、第一方向と第二方向を結ぶ方向において、突出部７が充電補助ボックス２０に挿入された乾電池形充電池と同方向に並ぶので、充電補助ボックス２０を充電器５２に装着したときの状態が安定する。
【００４６】
図７及び図８に示すように、充電補助ボックス２０は、突出部７が単三形充電池を充電可能な充電器５２に装着可能であり、充電器５２の一方の充電器側第一端子５５と突部第一端子１２が接触する。充電器５２の他方の充電器側第二端子５６と突部第二端子１３が接触する。充電器側第一端子５５と充電器側第二端子５６とは、第一収納部３０又は第二収納部３１に挿入された単一形充電池５０、単二形充電池５１と導通可能である。この場合、単一形充電池５０、単二形充電池５１が挿入された充電補助ボックス２０は、充電器５２に装着したときに充電器５２によって単一形充電池５０、単二形充電池５１を充電することができる。
【００４７】
上記実施形態において、充電補助ボックス２０は本発明の「充電補助ボックス」の一例である。なお、本発明は上記の実施形態に限定されるものではなく、種々の変更が可能である。例えば、充電補助ボックス２０は、突出部７がハウジング体２１の第五面５又は第六面６に備えられ、第一面１に開口部１４が備えられてもよい。
【００４８】
また、充電補助ボックス２０は突出部７が第三方向及び第四方向を結ぶ方向において第三方向の側に偏って設けられているがこれに限らない。突出部７が第三方向及び第四方向の略中心に設けられてもよいし、第四方向の側に偏って設けられても良い。さらに、突出部７は、第五方向及び第六方向を結ぶ方向において中心の位置に設けられているがこれに限らない。突出部７が第五方向の側に偏っていても良いし、第六方向の側に偏っていてもよい。
【００４９】
また、充電補助ボックス２０は突出部７のサイズが単三形乾電池のサイズに相当するサイズを想定しているがこれに限らない。突出部７のサイズが単四形乾電池のサイズに相当しても良い。その場合、単四形充電池に対応した充電器５２に装着して充電する。
【００５０】
また、第一収納部３０は単一形充電池５０に対応し第二収納部３１は単二形充電池５１に対応しているがこれに限らない。第一収納部３０は単一形充電池５０に対応し、第二収納部３１は単三形充電池に対応しても良い。或いは、第一収納部３０は単二形充電池５１に対応し、第二収納部３１は単三形充電池に対応しても良い。
【００５１】
また、充電補助ボックス２０は第一収納部３０と第二収納部３１の二つの収納部を備えているがこれに限らない。充電補助ボックス２０は一つの収納部のみを備えても良い。或いは、さらに第三収納部を備えて３つの収納部を備えても良い。
【符号の説明】
【００５２】
１    第一面
２    第二面
３    第三面
４    第四面
５    第五面
６    第六面
７    突出部
８    第三内側端子
８ａ    第三内側第一端子部
８ｂ    第三内側第二端子部
１０    第四内側端子
１０ａ    第四内側第一端子部
１０ｂ    第四内側第二端子部
１２    突部第一端子
１３    突部第二端子
１４    開口部
１５    第二内側面
１６    第三内側面
１７    第四内側面
１８    第五内側面
１９    第六内側面
２０    充電補助ボックス
２１    ハウジング体
３０    第一収納部
３１    第二収納部
３３    段部
５２    充電器
５５    充電器側第一端子
５６    充電器側第二端子
Ｈ    第一距離
Ｌ    第二距離
Ｗ    第三距離
【図１】
2019083104.tif 000003
【図２】
2019083104.tif 000004
【図３】
2019083104.tif 000005
【図４】
2019083104.tif 000006
【図５】
2019083104.tif 000007
【図６】
2019083104.tif 000008
【図７】
2019083104.tif 000009
【図８】
2019083104.tif 000010